(57)【要約】【課題】  ドクターブレードによって掻き取られた紙滓等の異物を効率良く回収することが可能なドクター装置を提案すること。【解決手段】  ドクター装置１のドクターバック４のドクターブレード２によってロール表面１０ａから掻き取られた異物は、その上面２ｃからブレードホルダ３のトッププレート３５の上面３５ｂに沿って移動してドクターバック４の天板部分４１に落下し、そこに形成されている異物落下穴４４から内部に配置されている異物排出用のパイプ４５内に落下する。パイプ４５内に落下した異物はその一方の側の連通口４６から外部に吸い出されて回収される。【選択図】  図１
2006207062.tif 000002
【特許請求の範囲】
【請求項１】
ドクターブレードと、当該ドクターブレードの後端側を保持しているブレードホルダと、当該ブレードホルダを支持しているドクターバックとを有し、前記ドクターブレードの刃先を抄紙機ロールなどのロール表面に圧接して、前記ロール表面に付着した紙滓等の異物を掻き取るドクター装置において、
前記ブレードホルダは、前記ロール表面から掻き落とされて前記ドクターブレードの表面から後方に送り出される異物を受け取る上面部分を備え、
前記ドクターバックは、前記ブレードホルダの上面部分から後方に送り出される異物を受け取る天板部分と、この天板部分に形成された異物落下穴と、この異物落下穴から自然落下する異物を受け取り、外部に排出するための異物排出路とを備えていることを特徴とするドクター装置。
【請求項２】
請求項１において、
前記異物排出路の排出口が前記ドクターバックにおける少なくとも一方の端板部分に形成されていることを特徴とするドクター装置。
【請求項３】
請求項２において、
前記ドクターバックの前記天板部分には、その幅方向に沿って複数に分離した状態で前記異物落下穴が形成されていることを特徴とするドクター装置。
【発明の詳細な説明】
【技術分野】
【０００１】
本発明は、抄紙機ロールなどのロール表面に付着した紙滓等の異物を掻き取るためのドクター装置に関し、さらに詳しくは、掻き取った異物を効率良く回収することができる異物回収機構を備えたドクター装置に関するものである。
【背景技術】
【０００２】
抄紙機などに使用されているドクター装置は、抄紙機ロールの表面に圧接されるドクターブレードと、このドクターブレードをロールに圧接した圧接位置およびロールから離した開放位置に旋回可能に保持しているブレードホルダと、このブレードホルダを支持しているドクターバックから基本的に構成されている。ドクターブレードの刃先を一定の圧接力で回転するロール表面に押し付けることにより、ロール表面に付着している紙滓等の異物を掻き取ることができる。
【０００３】
一般に、ドクターブレードはロール面長（ロールの軸線方向の長さ）に対応した長さの板であり、このドクターブレードの一方の長辺縁に刃先が形成され、他方の長辺縁部分がブレードホルダによって両側から挟持されている。ドクターブレードがほぼ水平となる姿勢でドクター装置が設置され、ドクターブレードの刃先位置においてロールが上側から下側に向かって回転する場合には、ロール表面から掻き落とされた異物がドクターブレードの上側表面に溜まる。また、ここに溜まった異物は、当該上側表面に沿って後方に移動し、後ろ側のブレードホルダの上面部分に押し出され、さらに、ブレードホルダの後側のドクターバックの上面に落下する。
【０００４】
ドクターバックの上面に多量の異物が溜まると、異物が床面などに落下して周囲に飛散してしまう。したがって、従来においては、ドクターバックの上面に溜まった異物が周囲に飛散しないように、ドクターバック上面に溜まった異物を人手によって定期的に除去するようにしている。
【発明の開示】
【発明が解決しようとする課題】
【０００５】
しかしながら、人手によりドクター装置の上面部分に溜まった異物を除去する方法は、運転中に除去作業ができないなど、効率が悪いという問題点がある。
【０００６】
本発明の課題は、このような点に鑑みて、ドクターブレードによって掻き取られた紙滓等の異物を周囲に飛散させることなく、効率良く回収することが可能なドクター装置を提案することにある。
【課題を解決するための手段】
【０００７】
上記の課題を解決するために、本発明は、ドクターブレードと、当該ドクターブレードの後端側を保持しているブレードホルダと、当該ブレードホルダを支持しているドクターバックとを有し、前記ドクターブレードの刃先を抄紙機ロールなどのロール表面に圧接して、前記ロール表面に付着した紙滓等の異物を掻き取るドクター装置において、前記ブレードホルダは、前記ロール表面から掻き落とされて前記ドクターブレードの表面から後方に送り出される異物を受け取る上面部分を備え、前記ドクターバックは、前記ブレードホルダの上面部分から後方に送り出される異物を受け取る天板部分と、この天板部分に形成された異物落下穴と、この異物落下穴から自然落下する異物を受け取り、外部に排出するための異物排出路とを備えていることを特徴としている。
【０００８】
また、本発明は、前記異物排出路の排出口が前記ドクターバックにおける少なくとも一方の端板部分に形成されていることを特徴としている。
【０００９】
さらに、前記ドクターバックの前記天板部分には、その幅方向において複数に分離した状態で前記異物落下穴が形成されていることを特徴としている。
【発明の効果】
【００１０】
本発明のドクター装置では、ドクターバックの天板部分に異物落下穴を形成して、ドクターバックの天板部分に溜まる異物を、異物落下穴から下側に配置されている異物排出路に自然落下させるようにしている。異物排出路に落下した異物は、当該異物排出路に沿って所定場所に向けて排出される。よって、ドクターバックの天板部分に溜まった異物がここから周囲に落下して飛散してしまうことを防止できる。また、ドクターブレードによって掻き取られた紙滓等の異物を人手によらず効率良く回収することができる。
【００１１】
次に、本発明では異物落下穴がドクターバックの幅方向において複数に分離した状態で形成されている。異物落下穴が広幅のものであると、抄紙機ロールなどの場合に、紙切れが発生した時に、切れた紙が異物落下穴に侵入してそこに詰まるおそれがある。本発明ではこのような弊害を防止できる。
【発明を実施するための最良の形態】
【００１２】
以下に、図面を参照して、本発明を適用したドクター装置の一例を説明する。
【００１３】
図１（ａ）および（ｂ）は、本発明を適用したドクター装置の概略斜視図、およびその概略断面図である。これらの図を参照して説明すると、本例のドクター装置１は、ロール１０の表面１０ａに圧接される刃先２ａを備えた細長い長方形のドクターブレード２と、このドクターブレード２の後端側を保持しているブレードホルダ３と、このブレードホルダ３を支持しているドクターバック４とを有している。
【００１４】
ドクターバック４は、天板部分４１と、この天板部分４１の後端から下側に向けて鋭角に折り曲げられた背面板部分４２と、左右の端板部分４３ａ、４３ｂとを備えている。左右の端板部分にはジャーナル軸５がそれぞれ固定されており、各ジャーナル軸５が回転可能な状態で、固定配置された架台（図示せず）によって支持されている。ドクターバック４と架台の間にはターンバックル（図示せず）が連結されており、これを調整することにより、ドクターバック４の姿勢を任意の旋回角度に調整して固定できるようになっている。
【００１５】
ブレードホルダ３は、ドクターバック４の前端部分の上面に取り付けられているボトムプレート３１を備え、このボトムプレート３１の両端部に取り付けた支持プレート３２の間に連結ロッド３３が架け渡されている。連結ロッド３３を中心として、フィンガプレート３４が上下方向に回転可能な状態で支持されており、フィンガプレート３４の上面にはトッププレート３５が固定されている。フィンガプレート３４とトッププレート３５の前端部分には、前方からドクターブレード２の後端部分２ｂが差し込まれている差込溝３６が形成されている。ここに差し込まれたドクターブレード２の後端部分２ｂは、トッププレート３５の前端縁３５ａおよびフィンガプレート３４の前端顎部３４ａの間に挟まれている。
【００１６】
また、フィンガプレート３４とボトムプレート３１の間には、連結ロッド３３を挟み、前側にブレード開放用チューブ３７が配置され、後側にブレード加圧用チューブ３８が配置されている。これらのチューブ３７、３８は可撓性素材から形成されている。ブレード開放用チューブ３７の側を膨張させると、ドクターブレード２が連結ロッド３３を中心としてロール１０の表面１０ａから離れる方向、すなわち開放方向に旋回する。ブレード加圧用チューブ３８の側を膨張させると、ドクターブレード２は、連結ロッド３３を中心としてロール１０の表面１０ａに押し付けられる方向、すなわち加圧方向に旋回する。
【００１７】
ここで、本例のドクターバック４の天板部分４１におけるブレードホルダ３に近い側の部位には、当該ドクターバック４の幅方向に沿って一定の間隔で複数個の異物落下穴４４が形成されている。この異物落下穴４４の直径は、ロール１０を介して搬送される紙料（図示せず）の幅寸法よりも十分に小さい。
【００１８】
天板部分４１の裏面には断面Ｕ字状のパイプ４５が配置されており、このパイプ４５はドクターバック４の両端面まで延びている。異物落下穴４４はパイプ４５に連通しており、異物落下穴４４を通って異物がパイプ４５の中に落下する。パイプ４５の一方の端部は、ドクターバック４の端板部分４３ａに形成した連通口４６と繋がっている。この連通口４６には吸引装置（図示せず）の吸引ダクトが接続されている。勿論、ドクターバック４の両側の端板部分に連通口４６を形成してもよい。
【００１９】
このように構成した本例のドクター装置１は、図に示すように、ロール１０の回転中心よりも上側の位置において全体として略水平に配置され、矢印の方向（上側から下側に）回転するロール１０の表面１０ａにドクターブレードの刃先２ａが圧接される。ロール１０が回転すると、そこに圧接されているドクターブレード刃先２ａによってロール表面１０ａから異物が掻き落とされる。ロール表面１０ａから掻き落とされた異物は、ドクターブレード２の刃先部分の上面２ｃに溜まる。この部分に溜まった異物は、後続の異物によって押し出されて、ドクターブレード２の上面２ｃおよびこの後側に連続しているブレードホルダ３のトッププレート３５の上面３５ｂに沿って移動し、その後端縁から一段低いドクターバック４の天板部分４１に落下する。
【００２０】
天板部分４１には異物落下穴４４が形成されており、異物落下穴４４を適切な密度で形成しておけば、天板部分４１に落下した異物の大部分が異物落下穴４４からパイプ４５内に落下する。パイプ４５の一端は連通口４６を介して吸引装置に連通しているので、パイプ４５に落下した異物は、ここから連通口４６を通って外部に回収される。
【００２１】
以上説明したように、本例のドクター装置１では、ドクターバック４の天板部分４１に異物落下穴４４を形成して、ドクターバック４に落下してくる紙滓等の異物を、当該異物落下穴４４からドクターバック内部に配置したパイプ４５（異物排出路）に落下させるようにしている。パイプ４５内の異物は連通口４６から外部に吸引されて排出される。よって、ドクターブレード２によって掻き取られた紙滓等の異物を人手によらず効率良く回収することができる。また、異物が周辺に飛散することを防止できる。
【００２２】
また、異物落下穴４４の直径は、ロール１０を介して搬送される紙料の幅寸法よりも十分に小さい。このため、紙料が切れた場合に、その先端部分がドクターバック４の側に送り出されたとしても、異物落下穴４４に侵入して、紙詰まり状態に陥ることがない。
【００２３】
さらに、ドクターバック４の内部のデッドスペースを利用して異物排出路を形成してあるので、異物回収機構を構成することによる装置の大型化を極力抑えることができる。
【００２４】
（その他の実施の形態）
なお、異物落下穴４４を、例えば、ドクターバック４の前後方向に延びる長穴とすることも可能である。また、異物落下穴４４を千鳥状に配置してもよい。
【００２５】
さらに、吸引装置などを省略して、異物排出路を傾斜配置し、落下した異物が水などと共に一方の端に形成されている連通口から、そこに接続されている排出チューブなどに向けて流れ出るように構成してもよい。
【図面の簡単な説明】
【００２６】
【図１】（ａ）および（ｂ）は、本発明を適用したドクター装置の概略斜視図、およびその概略断面図である。
【符号の説明】
【００２７】
１  ドクター装置
２  ドクターブレード
２ｃ  ドクターブレードの上面
３  ブレードホルダ
４  ドクターバック
１０  ロール
１０ａ  ロール表面
３５  トッププレート
３５ｂ  トッププレートの上面
４１  天板部分
４３ａ、４３ｂ  端板部分
４４  異物落下穴
４５  パイプ
４６  連通口
【図１】
2006207062.tif 000003